(57)【要約】【課題】1つのブックエンドで広い間隙から狭い間隙まで適応可能であり、特に、ブックエンドの有効厚さを最小限に小さくして、狭い間隙への適応に有利なブックエンドを提供する。【解決手段】ブックエンド１は、コイルばね４の両端に保護板２、３を取付けたもので、コイルばね４として、鼓型ばね、円錐ばねなどコイル径が徐々に変化して完全圧縮したときにばねが同心の渦巻き円板状になるコイルばねを用いる。また、保護板２、３にはこの密着時の円板状のコイルばね４が収容できる直径と深さを有する凹所５、６が設けられ、この凹所５、６にコイルばね４の両端が挿着される。さらに、保護板２、３の下端面にはコイルばね４の伸縮方向に転がるゴムローラー８が取り付けてある。よって、狭い間隙でも両側の本の転倒を１つのブックエンド１で防ぐことができる。【選択図】図２
0003202458.tif 000002
【実用新案登録請求の範囲】
【請求項１】
圧縮コイルばねの両端に保護板を取付けたブックエンドにおいて、
圧縮コイルばねは、円錐コイルばね、もしくは円錐コイルばねを互いに対向して連結した鼓型コイルばねであって、
最大コイル径から最小コイル径にコイル径が徐々に変化し、
完全圧縮時に、同心の渦巻き円板状に弾性変形するばねを用いたことを特徴とするブックエンド。
【請求項２】
請求項１に記載のブックエンドにおいて、
前記保護板には、前記最大コイル径が収容される直径と深さの凹所が設けられ、
前記圧縮コイルばねの両端は、それぞれの前記凹所に挿着されていることを特徴とするブックエンド。
【請求項３】
請求項１または２に記載のブックエンドにおいて、
それぞれの前記保護板の下端面に、圧縮コイルばねの伸縮方向に転がる円筒状のゴムローラーを配設したことを特徴とするブックエンド。
【考案の詳細な説明】
【技術分野】
【０００１】
本考案は、本棚に収容されている本の間隙に挿着され、本の転倒を防止するブックエンドに関する。
【背景技術】
【０００２】
本棚の内部に収容した本が倒れることを防止するのにブックエンドが使用される。通常は、滑りにくい幅広の底板と立設する側板からなる１つのブックエンドが利用される。
さらに、別のブックエンドとして、弾性体の反発力を利用した１対の側板構造のものもある（特許文献１）。
【０００３】
特許文献１には、弾性体として、金属製の圧縮コイルばねや、樹脂製のブロー成形になる蛇腹状成形体が利用され、その両端に保護板を取り付けたブックエンドが提案されている。
【０００４】
このブックエンドは、本棚の両側の本の転倒防止を１対のブックエンドで対応することができるものである。しかし、圧縮したときの厚さを小さくするには限界がある構成であるため、広い間隙では適用が可能であるが、狭い間隙には適用できず、ある程度の間隙が必要であって、その分本棚の本の収容性を損ねていた。
【先行技術文献】
【特許文献】
【０００５】
【特許文献１】特開２００３−１５３７５２号公報
【考案の概要】
【考案が解決しようとする課題】
【０００６】
本考案の目的は、１つのブックエンドで広い間隙から狭い間隙まで適用可能であり、特に、ブックエンドの有効厚さを最小限に小さくして、狭い間隙への適用に有利なブックエンドの提供にある。
【課題を解決するための手段】
【０００７】
（請求項１について）
この考案では、圧縮コイルばねの両端に保護板を取付けたブックエンドにおいて、圧縮コイルばねは、円錐コイルばね、もしくは円錐コイルばねを互いに対向して連結した鼓型コイルばねであって、最大コイル径から最小コイル径にコイル径が徐々に変化し、完全圧縮時に、同心の渦巻き円板状に弾性変形するばねを用いている。
これにより、１つのブックエンドで本の広い間隙から狭い間隙まで適応することができ、特に、狭い間隙では、ばねの密着厚さ、つまり、コイル線径分と保護板２枚分までの相当厚さまで小さくなるので適用が容易であり、本棚の本の収容量を増加できる。
【０００８】
（請求項２について）
保護板には、最大コイル径が収容される直径と深さの凹所が設けられ、圧縮コイルばねの両端は、それぞれの凹所に挿着されている。
これにより、保護板２枚分の最小限の厚さまで相当厚さを小さくすることができる。
【０００９】
（請求項３について）
それぞれの保護板の下端面に、圧縮コイルばねの伸縮方向に転がる円筒状のゴムローラーを配設している。
これにより、保護板のばねの伸縮方向の動きが円滑になるとともに、伸縮方向と直角方向の動きが抑制されて、本の差し込み、抜き出しがスムースに実施できる。
【図面の簡単な説明】
【００１０】
【図１】ブックエンドの概観を示す斜視図である。（実施例１）
【図２】（ａ）は鼓型コイルばねを用いたブックエンドの伸張時、（ｂ）は圧縮時の半断面図である。（実施例１）
【図３】（ａ）は円錐コイルばねを用いたブックエンドの伸張時、（ｂ）は圧縮時の半断面図である。（実施例２）
【考案を実施するための形態】
【００１１】
この考案のブックエンドは、コイルばねの両端に保護板を取付けたブックエンドであって、コイルばねとして、鼓型ばね、円錐ばねなどコイル径が徐々に変化して完全圧縮時、つまり密着したときにばねが同心の渦巻き円板状になるコイルばねを用いている。また、保護板にはこの密着した円板状のコイルばねが収容できる直径と深さを有する凹所が設けられ、この凹所内にコイルばねの両端がそれぞれ挿着されて固定されている。そして、このブックエンドを本棚に収容された本の間隙に挿着して、両側の本の転倒を１つのブックエンドで防止する。
【実施例】
【００１２】
（実施例１）
本考案の実施例１に係るブックエンド１を図１、２に基いて説明する。
ブックエンド１は、２つの矩形状の保護板２、３と、この保護板２、３に挟まれて伸縮可能なコイルばね４からなる。コイルばね４は、本実施例では鼓型コイルばね４であり、鼓型コイルばねとは、２つの円錐コイルばねを互いに対向させて連結した構造を有し、外観が、ばねの伸縮方向の中央部が括れた鼓の形を成したものをこのように呼称している。
【００１３】
鼓型コイルばね４の両端は最大コイル径をなし、鼓型コイルばね４の中央部は最小コイル径をなして、最大コイル径から最小コイル径に向かってコイル径が徐々に小さくなっている。そして、鼓型コイルばね４が完全圧縮されたとき、つまり密着されたとき最大コイル径と最小コイル径が平板状に同心に配列され、途中のコイル径は互いに干渉することなく平板状に渦巻き配列をなす構成のものである。従って、完全圧縮時はコイル線径に等しい厚みをもつ平たい渦巻き円板状を呈するものである。
【００１４】
保護板２、３は、木材、樹脂、もしくは金属製の所定の厚さを有する板材からなり、大きさは、平均的な本の縦横形状を採用している。そして、保護板２、３のほぼ中央部に直径がコイルばねの最大コイル径以上で、深さがコイル線径以上のくぼんだ凹所５、６がそれぞれ形成されている。
【００１５】
また、保護板２、３の縦方向の下端面には、図２に示すように、所定の幅と深さの溝７が形成されている。
【００１６】
１対のブックエンド１は、保護板２、３のそれぞれの凹所５、６に鼓型コイルばね４の両端をそれぞれ挿着し、接着、もしくはねじ締結などで固定して形成される。この１対のブックエンド１を本棚の本の間隙に挿着することで両側の本の転倒防止がこの１つのブックエンド１で実施できる。このとき、完全圧縮時のブックエンド１の厚みは保護板２、３の２枚分まで小さくなるので、例えば、本１冊程度の間隙であっても適用が可能となる。その分、本の収容を多くすることができる。
【００１７】
さらに、保護板２、３の下端面の溝７に円筒状のゴムローラー８をはめ込み固定する。ここで、円筒状のゴムローラー８は鼓型コイルばね４の伸縮方向、つまり保護板２、３の厚さ方向には滑らかに転がり、その直角方向には摩擦抵抗力が生じて動きにくくなるものである。
【００１８】
これは、本棚に収容された複数の本の間に新たに本を差し込むときに、ゴムローラー８が転がって保護板２、３の何れかがスムースに移動するので本を楽に差し込める。一方、本を引き出すときには、ゴムローラー８には摩擦抵抗力が発生して本の引き出し方向には動かないので本を楽に引き出せるメリットを兼ね合わせている。
【００１９】
（実施例２）
この実施例は、実施例１のコイルばね４を鼓型コイルばねに代えて、円錐コイルばね９にしている。円錐コイルばね９は、鼓型コイルばね４を中央で半分に切断した形状であって、完全圧縮時に鼓型コイルばね４同様に、コイル線径の厚みをもつ平たい渦巻き円板状を呈するものである。鼓型コイルばね４との違いは、両端の一方が最大コイル径を有し、他方が最小コイル径を有する構成である。したがって、保護板２、３に設ける凹所５、６は、その直径が、凹所５は最大コイル径以上であり、凹所６は最小コイル径以上であればよいが、いずれの保護板２、３も、ともに最大コイル径以上の凹所５、６を設けてあれば事足りる。
【００２０】
ブックエンド１は、実施例１と同様保護板２、３の凹所５、６に円錐コイルばね９を挿着し固定することで形成される。本ブックエンド１は完全圧縮時において、同様に、保護板２枚分の厚さに収まるものである。
また、本実施例では、同様に、保護板２、３の下端面に円筒状のゴムローラー８を設定している。したがって、実施例１と同様の特徴およびメリットを有している。
【符号の説明】
【００２１】
１      ブックエンド
２、３  保護板
４      鼓型コイルばね（コイルばね）
５、６  凹所
７      溝
８      ゴムローラー  
９      円錐コイルばね
【図１】
0003202458.tif 000003
【図２】
0003202458.tif 000004
【図３】
0003202458.tif 000005